(57)【要約】【課題】多様なガーデナーにとって、園芸店に欲しいものが見当たらない。与えられた園芸用品では、自分の思想を吹き込む芸術性の高いガーデンは、設計できないという課題があった。【解決手段】ガーデナーが、自分の欲しい園芸用品を主張でき、企画作業に参画でき、メーカーに夢とアイディアを提供して試供品を受け取り、さらにモニターとして改善提案ができる本発明の園芸用品の企画製造販売システムは、わが国のガーデニングレベルを飛躍的に向上させる解決手段である。【選択図】    図１
2006048606.tif 000002
【特許請求の範囲】
【請求項１】
インターネット上に、多様なガーデナーの夢を追求する研究所を設立し、夢を集める作業、専門家の参加による夢の実現化の企画作業と絞り込み作業、メーカー参加による商品の具現化作業、試作品の評価をするモニタリング作業を、研究所として統括的に進め、価値のある園芸用品を企画創造し、園芸ショップを通して多様なガーデナーの満足する商品を手元に届ける園芸用品の企画製造流通システム。
【請求項２】
インターネット上において、ガーデナーよりニーズ及びアイディアを募集し、そのアイディアを機能とデザインの面から専門家と共に顧客感動のコンセプトにまとめる企画作業を進め、続いてそのコンセプトを具現化する法人を募集し、さらに具現化の過程で、全国のガーデナーにネット上で問いかけを行い、具現化商品を絞り込む。これによって、ガーデナー自身が選んだ園芸最終モデルを決定し、引き続きネット上で参画した多様なガーデナーに抽選でモニターを依頼する。本システムで開発された試供品をモニターが評価し、商品を改良しつつ各種販売店ルートに乗せる園芸用品の企画製造流通システム。
【発明の詳細な説明】
【技術分野】
【０００１】本発明は、価値のある園芸用品の企画から販売までをシステム的に行う新規な企画製造流通システムに関する。
【背景技術】
【０００２】完成した園芸用品のバーチャルショップは知られている。特許電子図書館の公開特許公報フロントページ検索を、園芸用品、企画開発、システムをアンドのキーワードとして、１９９５年３月以降で検索したが、ゼロ件であった。園芸用品のアイディアを募集し、企画開発、製造、流通をインターネットを使用して、システム的に行った例はないと判断した。
【発明の開示】
【発明が解決しょうとする課題】
【０００３】広い庭を持つガーデナー、マンションの狭いベランダのガーデナー等、わが国の多様なガーデナーにとって、欲しいものが園芸店にない。もっと重厚な商品が欲しくても安価で安っぽいものしか売っていない。ガーデニングの本場のヨーロッパ製には豪華なものもあるが高価であったり、日本的センスを取り込んだガーデンにマッチしないものもある。本発明は、ガーデニングを芸術として捉え、与えられたもので自分の考えを表現するのではなく、ガーデナーが自分の思想をガーデン作りを通して実現するために、欲しいものが手に入るシステムを構築できるかどうかが課題であった。
【課題を解決するための手段】
【０００４】わが国の家屋にマッチするものを世に送り出すために、ガーデナーがそれぞれの立場で企画し、専門家、メーカー、園芸店との連携のもとに、ガーデニングの芸術性を高めるため価値のある園芸用品を提供できるシステムによって解決をねらった。すなわち、インターネット上に、園芸用品を開発する研究所を設立し、園芸のライフスタイルの異なるガーデナーよりアイディアを募集し、専門家の参画によりアイディアの実現化の企画作業と絞込み作業を行う。幅広いガーデナーへの配慮ができる専門家のアドバイスが望ましい。その幅広いアイディアをメーカーと共に、試作によって具体的な商品を作る。
【０００５】現実の場においてもＮＰＯ法人等でこの研究所を設立し、一般のガーデナーに集まっていただき、アイデアの絞込みや、企画の具体化作業、試作品のチェックを行う。
【０００６】商品が物作りサイドの独りよがりな商品でないことを、モニターによってチェックし、本当に欲しいものを確認して、その生産代行を研究所を通してお願いする。これらのステップを踏むことにより、ガーデナーによって商品の価値を高めることができ、芸術性の高い自分企画のガーデンが実現できる。
【発明の効果】
【０００７】本発明の最大の効果は、ガーデナーが本当に欲しいものとして企画する商品の生産ができ、見込み生産のように各ショップで販売されていても、実際は注文生産に近い商品である点である。本発明の新規な企画製造流通システムによると、無駄な在庫をすることなく、売れ筋を中心とする生産ができる。
【発明を実施するための最良の形態】
【０００８】図１により説明する。１は、多様で数多いガーデナーのアイディア、ニーズ、夢を収集し、その実現のために、本発明の企画製造流通のシステムを統括し運営するネット上の研究所である。２は、ガーデナーであり、様々な園芸ライフを営んでいる。郊外で広大なガーデンを持っているガーデナー、庭全面を箱庭的に所狭しに配置したガーデナー等それぞれのガーデニング思想の下に、美しさと憩いを追求している。３は、日本の園芸シーンをリードするアドバイザー、園芸専門学校の先生等の専門家群である。４は、園芸用品のメーカーである。５は、園芸専門店、ホームセンターの園芸コーナー、ギフトショップ等の販売店である。【０００９】１のネット上の研究所は、インターネットを通して多様なガーデナー２から園芸用品のアイディアや実現して欲しい夢を募集し、また、特定テーマについて意見を求める。そのアイディアを機能とデザインの二つのテーマに分けて整理し、顧客満足のコンセプトにまとめて行く。機能については３の専門家の協力を得て、顧客が感動する機能コンセプトとしてまとめる。将来的には、１のガーデナーの中からも絞り込みの企画作業に参画する形となる。４の園芸品メーカーには、そのコンセプトを理解してもらい、形のある商品作りをお願いする。ここが本発明の一つのポイントであるから企画作業メンバーとメーカーの間で、納得いくまで商品化会議を開催し、コンセプトの具現化を図る。メーカー選定にあたっては、本システムに賛同し、真に価値有る園芸用品を適正な価格で実現できる努力をする企業を選定する。【００１０】ある程度コンセプトの具現化が進んだ段階で、１のガーデナーの皆さんに問いかけをし、コンセプトの具現化にあたっては、自分の思想に照らして真剣に回答してもらう。それを１の研究所で集約検討し、ガーデナー自身の企画による、ガーデナーのための園芸用品最終モデルに到達する。そして、園芸店５で販売に入る前に、真剣に回答してもらったガーデナーの中から抽選でモニターになってもらい、世界で初めての園芸用品の試供品について使用していただき、その評価を、１の研究所へ報告してもらう。優れた所は、インターネットを通して１の皆さんや園芸店５のＰＯＰでもお知らせし、改善点はすくにメーカーサイドで、次期モデルの商品改良に生かす。
【実施例１】
【００１１】園芸用品企画開発システム運営研究所が、ガーディナーに対してインターネットによりニーズを募集した。８０件余りのニーズやアイディアの応募があった。その中の一つに、自己湿度コントロール性、通風性、防虫性、結露防止性を兼ね備え、かつ組み立て容易な高級植物の小型の温室の応募があった。研究所としては、専門学校の協力を得て、このニーズを他への波及効果も認め、機能コンセプトに練り上げて、テーマの一つとして取り上げる事にした。具体的な商品作りにあたっては、資材メーカーとハウスメーカーへの提案により吸水性ポリマーシート、０．６ｍｍ目合いと毛羽のダブル効果の防虫紗、湿度変化で発熱する寒冷紗とビニールのラミネートフィルム等を部分的に使い分けて、結露防止性で防虫性のある複合材料かでき、企画会議と企画作業を繰り返し一つの商品に集約して行った。小型温室の大きさやその活用性等については、ガーデナーにマークシートのアンケートによる参加を得て集約した。それをナイロン製の強固な面ファスナーで、容易に組み立てられる小型温室の試作品として完成させた。【００１２】最後の仕上げをするために、モニターをガーデナーの中から選定した企画作業のメンバーより選び、評価を求めたところ、改良点として、窓を作って、そこに自動開閉機構を取り入れる改善提案があった。それを実現するメーカーは、形状記憶合金のばねを採用し、温室の温度が上がると窓を開き空気を入れ、温度か下がると窓が閉まり保温する自動開閉の窓を採用した。モニター評価の要点と改良のポイントは、ガーデナーにネットで配信し、マーケッティング情報として販売店にも通知し、セールスプロモーション活動を行った。
【産業上の利用可能性】
【００１３】本発明の基本的なシステムは、多くの産業分野での利用可能性が有る。ユーザーの意見を吸収しながら商品開発をするものであるから、市場調査を実施しながら商品化することと同じであり、園芸用品のように多種多様なアイディア商品が考えられる分野に置いては極めて効率的である。今までにないリスクの少ないビジネスモデルとして利用可能性は高い。
【図面の簡単な説明】
【００１４】
【図１】園芸用品の企画製造販売システム
【符号の説明】
【００１５】１インターネット上の園芸用品開発システム運営研究所
２ガーデナー
３専門家
４園芸用品メーカー
５園芸用品販売店
【図１】
2006048606.tif 000003